【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
ゴルフパターヘッドであって、
ヒール端部と、トウ端部と、頂部レールと、ゴルフボールを打つために配置されている前面とを有するフェース部材と、
フェース部材のヒール端部から略後方に伸びる第１のアームと、
フェース部材のトウ端部から略後方に伸びる第２のアームと、
ヒール端部とトウ端部の中間のフェース部材から後方に伸びるとともに、フェース部材の後方の第１と第２のアームに連結されている中心部材と、を備えているゴルフパターヘッド。
【請求項２】
中心部材は上面を有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
中心部材は、第１と第２の開口部の間に位置する中心部材の上面に、第１のキャビティを有しており、
中心部材は、第１のキャビティの後方であり、且つ第１と第２の開口部の後方に位置する中心部材の上面に、第２のキャビティを有している請求項１に記載のゴルフパターヘッド。
【請求項３】
中心部材が、フェース部材の後方の第１と第２のアームに連結する１対の翼部を備えていることを特徴とする請求項２に記載のゴルフパターヘッド。
【請求項４】
第１のキャビティが凹状端部を有する略細長い三日月形状であり、
第２のキャビティが凸状側部を有する略半円形状であることを特徴とする請求項２又は３に記載のゴルフパターヘッド。
【請求項５】
第２のキャビティの凸状側部が、第１のキャビティの凹状端部と位置合わせされているとともに、第１のキャビティの凹状端部を補完していることによって、視覚的位置合わせ補助を提供することを特徴とする請求項４に記載のゴルフパターヘッド。
【請求項６】
第１のキャビティに配置されるとともに、凹状端部を有する略細長い三日月形状の第１の挿入部材と、
第２のキャビティに配置されるとともに、凸状側部を有する略半円形状の第２の挿入部材と、をさらに備えていることを特徴とする請求項４又は５に記載のゴルフパターヘッド。
【請求項７】
第２の挿入部材の凸状側部が、第１の挿入部材の凹状端部と位置合わせされているとともに、第１の挿入部材の凹状端部を補完していることを特徴とする請求項６に記載のゴルフパターヘッド。
【請求項８】
フェース部材、第１と第２のアーム、および中心部材が第１の材料を用いて製造されており、
第１と第２のキャビティにそれぞれ配置されている第１と第２の挿入部材が、前記第１の材料よりも密度の低い第２の材料を用いて製造されていることを特徴とする請求項６又は７に記載のゴルフパターヘッド。
【請求項９】
第１の材料が鋼であり、第２の材料がウレタンであることを特徴とする請求項８に記載のゴルフパターヘッド。
【請求項１０】
視覚的位置合わせ補助を高めるために、第１と第２の挿入部材が、フェース部材、第１と第２のアーム、および中心部材と対照的な色を有していることを特徴とする請求項６〜９のいずれか一項に記載のゴルフパターヘッド。
【請求項１１】
第１と第２の挿入部材が、フェース部材に対して略垂直方向に位置合わせされており、これによって、視覚的位置合わせ補助が長くなることを特徴とする請求項６〜１０のいずれか一項に記載のゴルフパターヘッド。
【請求項１２】
中心部材が、フェース部材の裏面に結合する側の端部に、略Ｕ字状の壁部を備えていることを特徴とする請求項２〜１１のいずれか一項に記載のゴルフパターヘッド。
【請求項１３】
前記アーチ状壁部が頂縁を有しており、
その壁部頂縁の中央部分が湾曲するとともに、フェース部材の頂部レールの上方に突出していることを特徴とする請求項１２に記載のゴルフパターヘッド。
【請求項１４】
前記壁部頂縁が対向側部を有しており、
その対向側部は、前記壁部がフェース部材から離れるにつれて、前記中央部分から下方に傾斜していることを特徴とする請求項１３に記載のゴルフパターヘッド。
【請求項１５】
第１と第２のアームは、フェース部材から離れるにつれて、下方に傾斜する頂面を有していることを特徴とする請求項１４に記載のゴルフパターヘッド。
【請求項１６】
中心部材が、前記アーチ状壁部と反対側の前記中心部材の端部に増厚部分を有していることを特徴とする請求項１２〜１５のいずれか一項に記載のゴルフパターヘッド。
【請求項１７】
ゴルフパターヘッドであって、
ヒール端部と、トウ端部と、頂部レールと、ゴルフボールを打つために配置されている前面と、裏面とを有するフェース部材と、
フェース部材のヒール端部から略後方に伸びる第１のアームと、
フェース部材のトウ端部から略後方に伸びる第２のアームと、
ヒール端部とトウ端部の中間のフェース部材から後方に伸びるとともに、フェース部材の後方の第１と第２のアームに連結されている中心部材とを備え、
中心部材が、フェース部材の裏面に結合する側の端部に略Ｕ字状の壁部を備えており、
その壁部が、湾曲する中央部分と対向側部とを有する頂縁を備えていることを特徴とするゴルフパターヘッド。
【請求項１８】
前記壁部頂縁の中央部分が、フェース部材の頂部レールの上方に突出しており、
前記アーチ状壁部の対向側部の頂縁が、フェース部材から離れるにつれて、下方に傾斜していることを特徴とする請求項１７に記載のゴルフパターヘッド。
【請求項１９】
第１と第２のアームは、フェース部材から離れるにつれて、下方に傾斜する頂面を有していることを特徴とする請求項１８に記載のゴルフパターヘッド。
【請求項２０】
中心部材が、前記壁部と反対側の前記中心部材の端部に増厚部分を有していることを特徴とする請求項１９に記載のゴルフパターヘッド。
【請求項２１】
第１のキャビティが、約０．０８９インチ（約０．２２６センチメートル）の深さを有しており、
第２のキャビティが、約０．１４９インチ（約０．３７８センチメートル）の深さを有しており、
第１の挿入部材が、約０．０７４インチ（約０．１８８センチメートル）の厚さを有しており、
第２の挿入部材が、約０．１３４インチ（約０．３４０センチメートル）の厚さを有していることを特徴とする請求項８に記載のゴルフパターヘッド。
【請求項２２】
中心部材と第１のアームは、フェース部材のヒール端部に近接する位置に第１の開口部を画定しており、
中心部材と第２のアームは、フェース部材のトウ端部に近接する位置に第２の開口部を画定しており、
中心部材は、フェース部材の裏面に結合する側の端部にＵ字状の壁部を備えており、
そのＵ字状の壁部は、フェース部材の裏面に隣接するＵ字状の壁部の中央部分に頂縁を有するアーチ状壁部と、Ｕ字状の壁部の中央部分から伸びているとともに第１開口部及び第２の開口部に隣接するアーチ状壁部の頂縁から下方に傾斜しているＵ字状の壁部の対向側部と、を備えている請求項１に記載のゴルフパターヘッド。
【請求項２３】
中心部材は、フェース部材の裏面に接する内側端と、その内側端に設けられている一対の対向側部と、フェース部材の後方の第１と第２のアームに連結する１対の翼部と、翼部の後方に延びている外側端とを有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
中心部材は、前記一対の対向側部の間に位置する中心部材の上面に、第１のキャビティを有しており、
中心部材は、第１のキャビティの後方であり、且つ前記翼部の間に位置する中心部材の上面に、第２のキャビティを有している請求項１に記載のゴルフパターヘッド。
【請求項２４】
中心部材は、フェース部材の裏面に接する内側端と、その内側端に設けられている一対の対向側部と、フェース部材の後方の第１と第２のアームに連結する１対の翼部と、翼部の後方に延びている外側端とを有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
前記第１のアームと前記第２のアームは、前記第１のアームと前記第２のアームが前記フェース部材から離れるにつれて下方に傾斜している頂面を有している請求項１に記載のゴルフパターヘッド。
【請求項２５】
中心部材は、フェース部材の裏面に接する内側端と、その内側端に設けられている一対の対向側部と、フェース部材の後方の第１と第２のアームに連結する１対の翼部と、翼部の後方に延びている外側端とを有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
前記第１のアームと前記第２のアームは、前記第１のアームと前記第２のアームが前記フェース部材から離れるにつれて下方に傾斜している頂面を有しており、
前記中心部材の内側端の前記対向側壁は、前記中心部材が前記フェース部材から離れるにつれて下方に傾斜している頂面を有している請求項１に記載のゴルフパターヘッド。
【請求項２６】
前記中心部材は、フェース部材の後方の第１のアームに連結する第１の翼部と、フェース部材の後方の第２のアームに連結する第２の翼部とを有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
前記第１と第２のアームのそれぞれは、外側略凸状端を有しており、
前記第１と第２の翼部のそれぞれは、外側略凹状端を有している請求項１に記載のゴルフパターヘッド。
【請求項２７】
前記中心部材は、フェース部材の後方の第１のアームに連結する第１の翼部と、フェース部材の後方の第２のアームに連結する第２の翼部とを有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
前記第１と第２のアームのそれぞれは、外側略凸状端と内側略凹状端とを有しており、
前記第１と第２の翼部のそれぞれは、外側略凹状端を有しており、
第１のアームの前記外側略凸状端は、前記第１の翼部の前記外側略凹状端に結合し、前記フェース部材のヒール端部の後方に第１の外側突出部を形成しており、
第２のアームの前記外側略凸状端は、前記第２の翼部の前記外側略凹状端に結合し、前記フェース部材のヒール端部の後方に第２の外側突出部を形成しており、
第１と第２のアームの内側略凹状端は、前記第１と第２の開口部の一部を画定している請求項１に記載のゴルフパターヘッド。
【請求項２８】
前記フェース部材の前面に設けられているフェースプレートと、
シャフトを受入れるために、フェース部材のヒール端部に隣接して設けられているホーゼルと、をさらに備えており、
前記第１と第２のアームは、第１と第２のアームがフェース部材から離れるにつれて下方に傾斜する頂面を有しており、
前記中心部材は、フェース部材の後方の第１のアームに連結する第１の翼部と、フェース部材の後方の第２のアームに連結する第２の翼部とを有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
前記第１と第２のアームのそれぞれは、外側略凸状端を有しており、
前記第１と第２の翼部のそれぞれは、外側略凹状端を有している請求項１に記載のゴルフパターヘッド。
【請求項２９】
中心部材と第１のアームは、フェース部材のヒール端部に近接する位置に第１の開口部を画定しており、
中心部材と第２のアームは、フェース部材のトウ端部に近接する位置に第２の開口部を画定しており、
中心部材は、第１と第２の開口部の間に位置する中心部材の上面に、第１のキャビティを有しており、
第１のキャビティの後方に位置する中心部材の上面に、第２のキャビティを有している請求項１に記載のゴルフパターヘッド。
【請求項３０】
前記第１のアームが頂面を有しており、
前記第２のアームが頂面を有しており、
前記中心部材は、フェース部材に隣接する内側端と、フェース部材から離れている外側端と、その外側端で逆方向にそれぞれ伸びているとともにフェース部材の後方の第１と第２のアームに連結する第１と第２の翼部とを有しており、
前記第１の翼部は、第１のアームの頂面から下方に凹んでいる上面を有しており、
前記第２の翼部は、第２のアームの頂面から下方に凹んでいる上面を有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
中心部材は、外側端に隣接するとともに前記翼部の後方に延びている部分を有している請求項１に記載のゴルフパターヘッド。
【請求項３１】
フェース部材の前面に設けられているフェースプレートと、
シャフトを受入れるためにフェース部材に設けられているホーゼルとをさらに備えており、
前記第１のアームが頂面を有しており、
前記第２のアームが頂面を有しており、
前記中心部材は、フェース部材に隣接する内側端と、フェース部材から離れている外側端と、その外側端で逆方向にそれぞれ伸びているとともにフェース部材の後方の第１と第２のアームに連結する第１と第２の翼部とを有しており、
前記第１の翼部は、第１のアームの頂面から下方に凹んでいる上面を有しており、
前記第２の翼部は、第２のアームの頂面から下方に凹んでいる上面を有しており、
中心部材と第１のアームは、フェース部材のヒール端部に近接する位置に第１の開口部を画定しており、
中心部材と第２のアームは、フェース部材のトウ端部に近接する位置に第２の開口部を画定しており、
中心部材は、外側端に隣接するとともに前記翼部の後方に延びている部分を有している請求項１に記載のゴルフパターヘッド。